(57)【特許請求の範囲】
【請求項１】
ガラス板からなる板材の表面に導電膜を形成し、当該導電膜の抵抗の変化を検出するために前記導電膜に複数の電極モジュールを介してリード線を接続した防犯用ガラスの電極付板材ユニットであって、
前記電極モジュールが板材の四隅に設けられ、かつ、前記各電極モジュールが前記板材の上下となる上辺および下辺に沿って長く形成されており、前記電極モジュールは、
導電性の接着剤が片面に塗布された金属箔テープを前記導電膜上に前記接着剤を介して接着した接続部と、
前記金属箔テープの１枚の金属箔の部分よりも厚く、かつ、前記金属箔テープ上にろう付けされると共に前記リード線に接続される端子板と、
前記金属箔テープの上面の少なくとも一部を覆うと共に金属箔テープの幅方向の両側において前記金属箔テープから前記導電膜上にはみ出して塗布された銀粒子を含む導電性ペーストとを備え、
前記端子板は前記板材のエッジから当該板材の外方に向って突出していることで板材の端面から突出した突出部を有し、当該突出部にリード線の端部が接続されており、
前記突出部の近傍の前記リード線が前記板材の端面に沿って配設され、前記端面に沿った前記リード線および突出部が樹脂の封止材で封止されており、
ここにおいて、前記接続部は、前記導電性ペーストで全体が覆われた細い帯状の第１の金属箔テープを含む通電部と、当該第１の金属箔テープよりも幅が広く、かつ、短い第２の金属箔テープを含む台座部とを備え、前記第１および第２の金属箔テープの概ね全面が前記導電膜上に接着されており、前記第１および第２の金属箔テープの端部同士が互いに重ね合わせた状態で接続されている電極付板材ユニット。
【請求項２】
請求項１において、前記端子板は前記台座部においてろう付されて接続されている電極付板材ユニット。
【発明の詳細な説明】
【技術分野】
【０００１】
本発明は、板ガラス破損を検知して破損情報をセキュリティシステム等へ発報する、いわゆる防犯用板ガラスなどの電極付板材ユニットに関するものである。
【背景技術】
【０００２】
透明な導電膜を有する板ガラスに電極モジュールを取り付け、導電膜の抵抗値の変化を検出して破損情報をセキュリティシステム等へ発報する防犯用板ガラスは周知である。
【０００３】
また、透明な導電膜を有する板ガラスを単板で使用する場合だけでなく、ＰＶＢやＥＶＡの中間膜を介挿した合せガラスや、板ガラス周囲のスペーサによって空気層を設けて周囲をシールした複層ガラスにして使用する場合も公知である。
【０００４】
透明な導電膜はスパッタリングによって二次加工でフロートガラス上にＩＴＯ等の導電膜で形成されたり、ガラス製造時にオンラインでチタン、クロム、錫、インジウムやこれらの酸化物で導電膜が形成される。
【０００５】
前記導電膜にリード線を接続する電極モジュールの構造としては、下記の特許文献１が知られている。
【特許文献１】特開２０００−２７７２４３号（要約書）
【発明の開示】
【０００６】
従来の防犯ガラスにおいては、抵抗値の変化を確実に検知するために、電極モジュールの位置、材質、形状、処理方法が十分検討されていない。そのため、取り付け強度が小さく施工時にリード線が取れたり、経時変化で抵抗値が変動してしまう場合があった。
【０００７】
また、端子板の取付けの作業が難しく、そのため、作業性が良くなかったり、不良が発生しやすかった。
【０００８】
本発明はリード線と端子板の取り付け、端子板と接続部の取り付け、接続部の導電膜への取り付けにおいて密着性が良く、容易に外れない電極付板材ユニットを提供することを主目的とする。
【０００９】
また、本発明の他の目的は、合せガラスや、複層ガラスの製作時の不良を防止し、施工時の作業性を向上させると共に、窓に納まった状態での強度を確保し、見栄えの良い納まりとなり得る電極付板材ユニットを提供することである。
【００１０】
ガラス板からなる板材の表面に導電膜を形成し、当該導電膜の抵抗の変化を検出するために前記導電膜に複数の電極モジュールを介してリード線を接続した防犯用ガラスの電極付板材ユニットであって、前記電極モジュールが板材の四隅に設けられ、かつ、前記各電極モジュールが前記板材の上下となる上辺および下辺に沿って長く形成されており、前記電極モジュールは、導電性の接着剤が片面に塗布された金属箔テープを前記導電膜上に前記接着剤を介して接着した接続部と、前記金属箔テープの１枚の金属箔の部分よりも厚く、かつ、前記金属箔テープ上にろう付けされると共に前記リード線に接続される端子板と、前記金属箔テープの上面の少なくとも一部を覆うと共に金属箔テープの幅方向の両側において前記金属箔テープから前記導電膜上にはみ出して塗布された銀粒子を含む導電性ペーストとを備え、前記端子板は前記板材のエッジから当該板材の外方に向って突出していることで板材の端面から突出した突出部を有し、当該突出部にリード線の端部が接続されており、前記突出部の近傍の前記リード線が前記板材の端面に沿って配設され、前記端面に沿った前記リード線および突出部が樹脂の封止材で封止されており、ここにおいて、前記接続部は、前記導電性ペーストで全体が覆われた細い帯状の第１の金属箔テープを含む通電部と、当該第１の金属箔テープよりも幅が広く、かつ、短い第２の金属箔テープを含む台座部とを備え、前記第１および第２の金属箔テープの概ね全面が前記導電膜上に接着されており、前記第１および第２の金属箔テープの端部同士が互いに重ね合わせた状態で接続されていることを特徴とする。
【００１１】
本発明によれば、導電膜に金属箔テープが接着剤を介して接着されるから、導電膜の構造を損なうことなく大きな接続面積が得られる上、導電膜と接続部との接続抵抗となる接着剤の抵抗値は導電膜の抵抗値よりも一般に十分に小さいので、導電膜の抵抗値の変化の検出に影響を与えない。また、接着剤で広い面積にわたって強固に接着できるから、経時的に接続の抵抗値が変化するおそれもない。
一方、リード線が結線される端子板を前記金属箔テープを介して導電膜に接続するから、端子板を薄い導電膜に直接接続するのと異なり、導電膜よりも厚い金属箔に端子板をハンダで、「ろう付け」することができ、小さな接合面積でも板と箔とを強固に接続することができる。
すなわち、極めて薄い導電膜に、この導電膜よりも厚い金属箔を接着し、更に、この金属箔よりも厚い端子板を金属箔に溶着して、段階的に厚さを厚くしているから、接続に無理が生じなく、各接続部分の抵抗値が十分に小さくなると共に、経時的な抵抗値の変化を防止することができる。
【実施例１】
【００１２】
以下、本発明の一実施例を図面にしたがって説明する。
図１において、板ガラス１の表面（一方の面）１ｆには、導電膜１０が形成されている。導電膜１０としては、周知の金属薄膜や金属酸化薄膜等を使用でき（たとえば、特開２０００−２７７２４３号）、必ずしも板ガラス１の全面に設ける必要はない。
【００１３】
前記板ガラス１の端部には、複数の電極モジュールＭが設けられている。前記各電極モジュールＭは、リード線２を介して導電膜１０の抵抗の変化を検出するための周知の抵抗検出器（図示せず：たとえば、特許第３６７７７４９号参照）に接続される。
【００１４】
各電極モジュールＭは、接続部３および端子板４を備えている。
【００１５】
導電膜１０に取り付けられる接続部３としては、導電性接着剤を片面に塗布した細長い第１および第２の銅箔テープ（第１および第２の金属箔テープ）３１，３２を使用する。これにより、導電膜１０に銅箔が前記導電性接着剤により強固に接着され、導電性接着剤内の導電成分により接続部３の導電性が高まり、導電膜１０と接続部３との接続抵抗値は導電膜１０の抵抗値よりも十分に小さく、導電膜１０の抵抗値の変化の検出に影響を与えない。また、経時的に接続の抵抗値が変化するおそれもない。
なお、前記端子板４の厚さ（たとえば、０．１ｍｍ〜０．２ｍｍ程度）は、前記第１および第２の銅箔テープ３１，３２の各々の厚さ（たとえば、５０μｍ〜１００μｍ程度）よりも厚い。
【００１６】
図２に示すように、接続部３は、導電膜１０に接する細長い帯状の第１の銅箔テープからなる通電部３１と、略方形状の第２の銅箔テープからなる台座部３２で構成され、台座部３２は板ガラス端近傍において導電膜１０に先に貼り付けられ、この台座部３２の一部に重ねて通電部３１を貼り付ける。
前記台座部３２の幅Ｗ２（たとえば、４ｍｍ〜８ｍｍ程度）は通電部３１の幅Ｗ１よりも大きく、かつ、台座部３２の長さＬ２（たとえば、１５ｍｍ〜２５ｍｍ程度）は通電部３１の長さＬ１（たとえば、３０ｍｍ〜１０００ｍｍ程度）よりも短い。
【００１７】
図４の前記端子板４の幅Ｗ３（たとえば、４ｍｍ〜８ｍｍ程度）は、前記台座部３２の幅Ｗ２（図２）と同等ないし若干大きな幅である。
台座部３２が通電部３１よりも幅広であるから、細い通電部３１に端子板４をハンダ付けする場合に比べ、端子板４のハンダ付けが容易になる上、台座部３２は端子板４の一端をハンダ３３付けする際のハンダ位置の位置決めの基準となるので、位置決めが容易になる。
なお、前記通電部３１にもハンダを乗せることにより接続抵抗の低下と安定が確保される。
【００１８】
前記端子板４のハンダ付け（ハンダ３３付けの一例）に先立って、図３のように、接続部３の通電部３１および台座部３２を覆って銀ペースト３４はオーバー目にシルク印刷等で塗布される。
銀ペースト３４は自然乾燥後、低温で焼き付けられる。銀ペースト３４は通電部３１の全体と、該通電部３１にラップした台座部３２の周囲をオーバー目に覆うので銅箔テープ３１，３２の剥れを防止すると共に、前記通電部３１に乗せるハンダ３３の付けを容易にする。
【００１９】
ここで、銀ペースト３４は、細かい銀粒子をバインダ中に分散させてペースト化し、印刷後に焼付けられるが、銀粒子同士の接触によって導電性を発揮する。銀ペースト３４は、膜厚が余り厚くできない（たとえば、数μｍ〜２０μｍ）ので、長い距離では抵抗値も大きくなり抵抗値が安定しない。そこで、本実施例では、導電性接着剤を塗布した銅箔テープを使用することにより、抵抗値を低く安定させ、更に、銀ペースト３４を、その上にオーバーラップして重ねることで、銅箔テープの剥れを防止して、密着性を高めている。
【００２０】
図４の端子板４は一部を板ガラス１のエッジ１ｅから突出した状態で台座部３２において接続部３とハンダ３３付けされている。図１の前記板ガラス１のエッジ１ｅから突出した突出部４１には小穴４２を設け、被覆を剥いだリード線２の一端をハンダ付けすることで、リード線２が突出部４１に確実に固定され、引っ張っても抜けることがない。
リード線２は端子板４を接続部３にハンダ付けする前に、予め、端子板４にハンダ付けしておいてもよい。
【００２１】
図７（ａ）に示すように、電極モジュールＭは板ガラス１のたとえば四隅に４箇所設けるが、板ガラス１の縦横比に拘らず板ガラス１を窓枠に装着した時の上下となる辺に沿って設けると、引き違い窓の場合、サッシのクレセント位置で板ガラス１をこじ破って侵入される場合に、ガラス抵抗値の変化の検出が容易になる。
【００２２】
単板の場合、接続部３、端子板４およびリード線２を取り付けた後、リード線２の引き出し長さを除いて、リード線２、端子板４および接続部３を図６のシリコーンシール（封止材の一例）Ｓ等で覆って保護する。
【００２３】
リード線２の長さは、板ガラス１の幅と高さを合計した長さに５０ｃｍ程度プラスした寸法とする事により、板ガラス１を現場でサッシに嵌めこむ際に、どちらのサイドでも片側にリード線をまとめてサッシに設けた穴からサッシを通して外部の壁や躯体にリード線２を引き出すことができる。
リード線端付近まで電源線をあらかじめ敷設しておく事により、現場ではガラス破壊検知器（抵抗検知器）と電源線、リード線の結線が容易になる。
【００２４】
図７に示す４本のリード線２は上辺同士と下辺同士を結線しガラス破損検知器と電源に結線する事で引き違い窓の場合、サッシのクレセント位置で板ガラス１をこじ破って侵入する場合に、板ガラス１の抵抗値の変化を検出することが容易になる。
【００２５】
侵入され易い箇所を重点的に検知できるようにするには、電極モジュールＭを板ガラス１の四隅に設けるのが好ましく、この場合、高価な銀ペースト３４の使用量を軽減しコストの削減を図ることができる。
【００２６】
図６（ｂ）の合せガラスの場合は接続部３、端子板４、リード線２を取り付けた後、ＰＶＢやＥＶＡ等の中間膜１１を必要な厚み分、重ねて相手側の板ガラス１Ａを乗せ、オートクレープや真空装置で加熱して合せガラスにする。中間膜１１の電極モジュールＭの部分は必要に応じて中間膜１１の一部を切り取り、当該電極モジュールＭに対応する部分が厚くならないように調整してもよい。
【００２７】
リード線２は合せガラス製作後に一部突出した端子板４の突出部４１にハンダ付けしてもよい。リード線２の長さは単板の場合と同様である。
【００２８】
リード線２と一部突出した突出部４１と合せガラスの端面はシリコーンシールＳで覆って保護する。この場合、接続部３の長さ方向に沿った合せガラス端面とその直角方向に５０ｍｍ〜１００ｍｍ程度シリコーンシールで合せガラスの端面を覆う事で突出部４１とリード線２の保護ができる。
【００２９】
図７（ａ）に示すように、リード線２はシリコーンシールＳ端付近で粘着テープ１００で合せガラス両面に固定し輸送時や施工時にも引掛けて外れてしまう事を防止するのが好ましい。なお、フリーになっているリード線も丸めて束ね、粘着テープで合せガラス片面に貼り付けておくのが好ましい。
【００３０】
複層ガラスや図７（ｃ）に示す合せ複層ガラスの場合は乾燥空気を保つため乾燥剤の入ったスペーサーの周囲をシリコーンやポリサルファイドの封着材１０１でシールする。そのため、端子板とリード線の一部を含めて前記素材で封着する事ができるから、ガラス端面のシリコーンシールは不要になる。
【産業上の利用可能性】
【００３２】
本発明は、防犯用板ガラスユニットについて適用できる。
【図面の簡単な説明】
【００３３】
【図１】本発明の一実施例にかかる電極付板材ユニットの電極モジュールの部分を拡大して示す概略斜視図である。
【図２】第１および第２銅箔テープの接着状態を示す平面図および側面図である。
【図３】第２銅箔テープを導電性ペーストで覆った状態を示す平面図および側面図である。
【図４】電極モジュールの平面図および側面図である。
【図５】同電極モジュールにリード線を結線した状態を示す平面図および側面図である。
【図６】合せガラスにおける電極モジュールを示す平面図および断面図である。
【図７】（ａ）は電極付板材ユニットにおける板ガラスの一部を省略して示す電極モジュールの平面レイアウト図、（ｂ）は合せガラスを示す側面図、（ｃ）は合せ複層ガラスを示す側面図である。
【符号の説明】
【００３４】
１：板材（ガラス板）
１ｅ：エッジ
１０：導電膜
２：リード線
３：接続部
３１：通電部
３２：台座部
３３：導電性ペースト
４：端子板
４１：突出部
Ｌ１：通電部の長さ
Ｌ２：台座部の長さ
Ｍ：電極モジュール
Ｓ：シリコーンシール
Ｗ１：通電部の幅
Ｗ２：台座部の幅
Ｗ３：端子板の幅
【図１】
0004675783.tif 000002
【図２】
0004675783.tif 000003
【図３】
0004675783.tif 000004
【図４】
0004675783.tif 000005
【図５】
0004675783.tif 000006
【図６】
0004675783.tif 000007
【図７】
0004675783.tif 000008